(57)【特許請求の範囲】
【請求項１】
被転写材に画像を形成する画像形成装置であって、
静電潜像が形成される像担持体と、
前記像担持体を回転させる駆動部と、
前記像担持体の表面に接触して配置され、前記像担持体の表面を帯電させる帯電部と、
前記像担持体の表面を帯電させる帯電電圧を前記帯電部に印加する電圧印加部と、
前記駆動部及び前記帯電部を制御して、前記像担持体及び前記帯電部のウォームアップを実行させる制御部と、
前記静電潜像に基づく画像を前記被転写材に定着させる定着部と、
前記定着部の温度を検出する定着温度検出部と、
前記画像形成装置が設置された環境の温度及び湿度を検出する環境検出部と
を備え、
前記像担持体及び前記帯電部のウォームアップを実行するときに、
前記制御部は、
前記定着部の温度と、前記環境の温度と、前記環境の湿度とに基づいて、前記像担持体を回転させる回転時間と、前記帯電電圧とを選定し、
前記選定した回転時間の間、前記像担持体が回転するように、前記駆動部を制御し、
前記選定した帯電電圧が前記帯電部に印加されるように、前記電圧印加部を制御する、画像形成装置。
【請求項２】
前記制御部は、
前記帯電電圧として、第１電圧と、前記第１電圧よりも大きい第２電圧とを選定し、
前記選定した回転時間のうち、前記像担持体が回転を開始してから所定時間の間、前記第１電圧が前記帯電部に印加されるように、前記電圧印加部を制御し
前記選定した回転時間のうち、前記所定時間の経過後では、前記第２電圧が前記帯電部に印加されるように、前記電圧印加部を制御する、請求項１に記載の画像形成装置。
【請求項３】
前記像担持体の周面に圧接され、前記像担持体の周面に残留している現像剤を除去するクリーニングブレードと、
前記静電潜像を現像剤によって現像する現像部と
をさらに備え、
前記制御部は、前記像担持体及び前記帯電部のウォームアップを実行するときに、前記現像剤が前記像担持体に向かって吐出されるように、前記現像部を制御する、請求項１又は請求項２に記載の画像形成装置。
【請求項４】
前記制御部は、前記現像剤が間欠的に吐出されるように、前記現像部を制御する、請求項３に記載の画像形成装置。
【請求項５】
前記制御部は、前記定着部の温度が閾値以下か否かを判定し、
前記定着部の温度が前記閾値よりも高いと判定したときに選定される前記回転時間は、前記定着部の温度が前記閾値以下であると判定したときに選定される前記回転時間よりも短い、請求項１から請求項４のいずれか１項に記載の画像形成装置。
【請求項６】
前記制御部による選定対象としての前記帯電電圧は、ベース電圧と第１補正電圧と第２補正電圧との和で表され、
前記制御部は、前記定着部の温度と、前記環境の温度と、前記環境の湿度とに基づいて、前記第１補正電圧と前記第２補正電圧とを選定する、請求項１から請求項５のいずれか１項に記載の画像形成装置。
【請求項７】
前記制御部は、
前記環境の温度及び前記環境の湿度が低くなるほど、大きな前記帯電電圧を選定し、
前記環境の温度及び前記環境の湿度が低くなるほど、長い前記回転時間を選定する、請求項１から請求項６のいずれか１項に記載の画像形成装置。
【請求項８】
前記回転時間は、前記像担持体の回転数で表される、請求項１から請求項７のいずれか１項に記載の画像形成装置。
【発明の詳細な説明】
【技術分野】
【０００１】
本発明は、像担持体に接触して配置された帯電装置を有する画像形成装置に関する。
【背景技術】
【０００２】
特許文献１に記載された画像形成装置では、帯電ローラーによって感光体ドラムを帯電させる。この画像形成装置では、累積印刷枚数に応じて帯電印加電圧（帯電装置への印加電圧）を変化させるとともに、その変化のペースを出力モード及び環境モードに基づいて調節する。出力モードは、モノクロ若しくはカラーのいずれの画像形成を行うかを表すモードである。環境モードは、感光体ドラムの設置環境の温度及び湿度のレベルに応じて区分されるモードである。
この画像形成装置では、累積印刷枚数だけでなく、出力モード及び環境モードに応じて、帯電印加電圧を調節することによって、感光体ドラムの膜減り度合いに影響する印刷枚数以外の要因に変化があった場合でも、感光体ドラムの膜減り度合いに見合った帯電印加電圧を設定できる。
【先行技術文献】
【特許文献】
【０００３】
【特許文献１】特開２００７−１８７８３２号公報
【発明の概要】
【発明が解決しようとする課題】
【０００４】
しかしながら、特許文献１に記載された画像形成装置において、感光体ドラムの膜減り度合いに見合った帯電印加電圧を設定しても、環境によっては、感光体ドラムの表面電位が帯電印加電圧を印加してから適正な帯電電位になるまでに時間がかかってしまう場合がある。
【０００５】
例えば、長時間にわたり、低温低湿の環境下におかれた帯電ローラーでは、画像形成装置本体の電源投入時又はスリープモードからの復帰時において、帯電能力が特に低下していることがある。従って、帯電ローラーの帯電能力の復帰に時間がかかるため、感光体ドラムの表面電位が適正な帯電電位になるまでに時間がかかってしまうことがある。その結果、感光体ドラムの表面電位が適正な帯電電位になるまでの間、画像不良（例えば、かぶり）が発生することがある。
【０００６】
本発明は、上記課題に鑑みてなされたものであり、低温低湿の環境下において、像担持体を帯電させる帯電部の帯電能力の復帰時間を短縮できる画像形成装置を提供することを目的としている。
【課題を解決するための手段】
【０００７】
本発明の一局面によれば、画像形成装置は、像担持体と、駆動部と、帯電部と、電圧印加部と、制御部と、定着部と、定着温度検出部と、環境検出部とを備える。像担持体には、静電潜像が形成される。駆動部は、前記像担持体を回転させる。帯電部は、前記像担持体の表面を帯電させる。電圧印加部は、前記像担持体の表面を帯電させる帯電電圧を前記帯電部に印加する。制御部は、前記駆動部及び前記帯電部を制御して、前記像担持体及び前記帯電部のウォームアップを実行させる。定着部は、前記静電潜像に基づく画像を被転写材に定着させる。定着温度検出部は、前記定着部の温度を検出する。環境検出部は、前記画像形成装置が設置された環境の温度及び湿度を検出する。前記像担持体及び前記帯電部のウォームアップを実行するときに、前記制御部は、前記定着部の温度と、前記環境の温度と、前記環境の湿度とに基づいて、前記像担持体を回転させる回転時間と、前記帯電電圧とを選定し、前記選定した回転時間の間、前記像担持体が回転するように、前記駆動部を制御し、前記選定した帯電電圧が前記帯電部に印加されるように、前記電圧印加部を制御する。
【発明の効果】
【０００８】
本発明によれば、低温低湿の環境下において、像担持体を帯電させる帯電部の帯電能力の復帰時間を短縮できる。
【図面の簡単な説明】
【０００９】
【図１】本発明の実施形態に係る画像形成装置を示す断面図である。
【図２】本発明の実施形態に係る画像形成装置の一部を示す図である。
【図３】本発明の実施形態に係る画像形成装置の温湿度テーブルを示す図である。
【図４】（ａ）本発明の実施形態に係る画像形成装置の第１制御テーブルを示す図である。（ｂ）本発明の実施形態に係る画像形成装置の第２制御テーブルを示す図である。
【図５】本発明の実施形態に係る画像形成装置が実行するウォームアップ制御の一部を示すフローチャートである。
【図６】本発明の実施形態に係る画像形成装置が実行するウォームアップ制御の他の一部を示すフローチャートである。
【発明を実施するための形態】
【００１０】
以下、本発明の実施形態について、図面を参照しながら説明する。なお、図中、同一または相当部分については同一の参照符号を付して説明を繰り返さない。
【００１１】
図１を参照して、本発明の実施形態に係る画像形成装置１について説明する。図１は、画像形成装置１を示す断面図である。画像形成装置１は被転写材Ｐに画像を形成する。被転写材Ｐは、例えば、用紙のようなシートである。本実施形態では、画像形成装置１は複合機である。複合機は、例えば、複写機、プリンター、ファクシミリ、及びスキャナーのうち少なくとも２つの機器を備える。
【００１２】
画像形成装置１は、給送部１０と、搬送部２０と、画像形成部３０と、定着部４０と、排出部６５と、原稿搬送部７０と、画像読取部７５と、操作部８０と、環境検出部５０と、定着温度検出部５５とを備える。
【００１３】
給送部１０は、各々が複数の被転写材Ｐを収容する複数のカセット１１と、手差しトレイ１２とを含む。被転写材Ｐは、例えば、紙製又は合成樹脂製である。給送部１０は、カセット１１又は手差しトレイ１２から搬送部２０へ被転写材Ｐを給送する。搬送部２０は、画像形成部３０に被転写材Ｐを搬送する。
【００１４】
画像形成部３０は被転写材Ｐに画像を形成する。具体的には、画像形成部３０は、感光体ドラム３１（像担持体）と、帯電ローラー３２（帯電部）と、露光部３３と、現像部３４と、転写部３５と、クリーニング部３６と、除電部３７とを含む。
【００１５】
帯電ローラー３２は、感光体ドラム３１の表面に接触して配置される。そして、帯電ローラー３２は感光体ドラム３１の表面を帯電させる。詳細は後述する。露光部３３は、画像データに基づく光を感光体ドラム３１の表面に照射する。その結果、感光体ドラム３１の表面には画像データに対応した静電潜像が形成される。
【００１６】
現像部３４は、現像ローラー３４ａを含み、静電潜像をトナー（現像剤）によって現像する。具体的には、現像部３４は、静電潜像にトナーを付着させて、感光体ドラム３１の表面にトナー像を形成する。トナー像は、静電潜像に基づく画像である。転写部３５は被転写材Ｐにトナー像を転写させる。被転写材Ｐに転写されたトナー像を「画像」と記載する場合もある。クリーニング部３６は、感光体ドラム３１の表面に残留しているトナーを除去する。詳細は後述する。除電部３７は、感光体ドラム３１の表面の残留電荷を除去する。搬送部２０は、画像の転写された被転写材Ｐを定着部４０に搬送する。
【００１７】
定着部４０は、画像の転写された被転写材Ｐを加熱及び加圧して、画像を被転写材Ｐに定着させる。具体的には、定着部４０は、加熱ローラー４１と、加圧ローラー４２とを含む。加熱ローラー４１は、被転写材Ｐを加熱する。加圧ローラー４２は加熱ローラー４１に圧接される。搬送部２０は、画像の定着された被転写材Ｐを排出部６５に搬送する。
【００１８】
排出部６５は画像形成装置１の外部に被転写材Ｐを排出する。原稿搬送部７０は、原稿を画像読取部７５に向けて搬送する。画像読取部７５は、原稿の画像を読み取って画像データを生成する。操作部８０は、ユーザーの各種操作を受け付ける。
【００１９】
環境検出部５０は、画像形成装置１が設置された環境の温度（以下、「環境温度」と記載する。）及び湿度（以下、「環境湿度」と記載する。）を検出する。具体的には、環境温度は、画像形成装置１の外部の温度を示し、環境湿度は、画像形成装置１の外部の湿度を示す。
【００２０】
定着温度検出部５５は、定着部４０の温度（以下、「定着温度」と記載する。）を検出する。具体的には、定着温度検出部５５は、加熱ローラー４１に対向して配置される。そして、定着温度検出部５５は、加熱ローラー４１に非接触で、加熱ローラー４１の温度を検出する。具体的には、加熱ローラー４１の温度が定着温度である。
【００２１】
図２を参照して、帯電ローラー３２及びクリーニング部３６について説明する。図２は、画像形成装置１の一部を示す図である。図２に示すように、帯電ローラー３２は、芯金部３２ａと、弾性部３２ｂとを含む。弾性部３２ｂは、芯金部３２ａの外周面に形成され、導電性を有する。弾性部３２ｂは、例えば、導電性のゴムである。
【００２２】
クリーニング部３６は、クリーニングブレード３６ａと、トナーシール３６ｂとを含む。クリーニングブレード３６ａは、感光体ドラム３１の周面に圧接され、感光体ドラム３１の周面に残留しているトナーを除去する。具体的には、クリーニングブレード３６ａのエッジが感光体ドラム３１の周面に圧接されている。クリーニングブレード３６ａは、例えば、ゴム製である。トナーシール３６ｂは、感光体ドラム３１の周面に接触し、クリーニングブレード３６ａによって除去されたトナーの飛散を抑制する。
【００２３】
図２を参照して、感光体ドラム３１及び帯電ローラー３２のウォームアップについて説明する。図２に示すように、画像形成装置１は、制御部９０と、電圧印加部９２と、駆動部９４とをさらに備える。
【００２４】
制御部９０は、駆動部９４及び電圧印加部９２を制御して、感光体ドラム３１及び帯電ローラー３２のウォームアップを実行させる。感光体ドラム３１及び帯電ローラー３２のウォームアップとは、感光体ドラム３１の表面電位を所定の帯電電位にするための感光体ドラム３１及び帯電ローラー３２の準備動作のことである。詳細は次の通りである。
【００２５】
すなわち、制御部９０は、画像形成装置１の各要素を制御する。具体的には、制御部９０は、処理部９０ａと、記憶部９０ｂとを含む。処理部９０ａは、ＣＰＵ（Ｃｅｎｔｒａｌ  Ｐｒｏｃｅｓｓｉｎｇ  Ｕｎｉｔ）のようなプロセッサーであり、記憶部９０ｂに記憶されたコンピュータープログラムを実行して、各種処理を実行する。記憶部９０ｂは、半導体メモリーのような主記憶装置、並びに半導体メモリー及びハードディスクドライブのような補助記憶装置を含む。記憶部９０ｂは、各種コンピュータープログラム及びデータを記憶する。
【００２６】
電圧印加部９２は、制御部９０の制御の下、感光体ドラム３１の表面を帯電させる帯電電圧ＣＶを帯電ローラー３２に印加する。帯電ローラー３２は、感光体ドラム３１の表面に接触している。従って、帯電ローラー３２に帯電電圧ＣＶが印加されると、感光体ドラム３１の表面が帯電する。
【００２７】
駆動部９４は、制御部９０の制御の下、感光体ドラム３１と帯電ローラー３２と現像ローラー３４ａとに駆動力を伝達して、感光体ドラム３１と帯電ローラー３２と現像ローラー３４ａとを回転させる。具体的には、駆動部９４は、モーター及び複数のギアを含む。
【００２８】
制御部９０は、感光体ドラム３１及び帯電ローラー３２のウォームアップを実行するときに、定着温度検出部５５が検出した定着温度と、環境検出部５０が検出した環境温度と、環境検出部５０が検出した環境湿度とに基づいて、感光体ドラム３１を回転させる回転時間ＲＴと、帯電電圧ＣＶとを選定する。
【００２９】
具体的には、制御部９０は、環境温度及び環境湿度が低くなるほど、長い回転時間ＲＴを選定する。さらに、制御部９０は、定着温度が閾値Ｔｈ以下か否かを判定する。そして、定着温度が閾値Ｔｈより高いと判定したときに選定される回転時間ＲＴ（つまり、定着温度が閾値Ｔｈ以下でないと判定したときに選定される回転時間ＲＴ）は、定着温度が閾値以下であると判定したときに選定される回転時間ＲＴよりも短い。また、制御部９０は、環境温度及び環境湿度が低くなるほど、大きな帯電電圧ＣＶを選定する。
【００３０】
制御部９０は、感光体ドラム３１及び帯電ローラー３２のウォームアップを実行するときに、選定した回転時間ＲＴの間、感光体ドラム３１が回転するように、駆動部９４を制御する。
【００３１】
なお、選定した回転時間ＲＴが０の場合は、制御部９０は、感光体ドラム３１が回転しないように、駆動部９４を制御する。
【００３２】
制御部９０は、感光体ドラム３１及び帯電ローラー３２のウォームアップを実行するときに、選定した回転時間ＲＴの間、選定した帯電電圧ＣＶが帯電ローラー３２に印加されるように、電圧印加部９２を制御する。
【００３３】
この場合、制御部９０は、選定した回転時間ＲＴのうち、感光体ドラム３１が回転を開始してから所定時間ＰＴの間、帯電電圧ＣＶとしての第１電圧が帯電ローラー３２に印加されるように、電圧印加部９２を制御することもできる。さらに、制御部９０は、選定した回転時間ＲＴのうち、所定時間ＰＴの経過後では、帯電電圧ＣＶとしての第２電圧が帯電ローラー３２に印加されるように、電圧印加部９２を制御することもできる。第２電圧は第１電圧よりも大きい。制御部９０は、定着温度と環境温度と環境湿度とに基づいて、帯電電圧ＣＶとしての第１電圧及び第２電圧を選定する。所定時間ＰＴは、例えば、実験的及び／又は経験的に定めることができる。
【００３４】
なお、選定した回転時間ＲＴが０の場合は、制御部９０は、一定時間だけ、選定した帯電電圧ＣＶが帯電ローラー３２に印加されるように、電圧印加部９２を制御する。
【００３５】
制御部９０は、感光体ドラム３１及び帯電ローラー３２のウォームアップを実行するときに、トナーが感光体ドラム３１に向かって吐出されるように、現像部３４を制御する。例えば、制御部９０は、トナーが間欠的に吐出されるように、現像部３４を制御する。
【００３６】
具体的には、制御部９０は、駆動部９４を制御することによって、現像部３４を制御する。つまり、制御部９０は、現像ローラー３４ａが回転するように、駆動部９４を制御する。その結果、現像ローラー３４ａは、感光体ドラム３１に向かってトナーを吐出する。
【００３７】
以上、図２を参照して説明したように、本実施形態によれば、制御部９０は、ウォームアップ時に、定着温度と環境温度と環境湿度とに基づいて、回転時間ＲＴ及び帯電電圧ＣＶを選定する。従って、低温低湿の環境下においても、低温低湿の環境に応じて、好適な回転時間ＲＴと好適な帯電電圧ＣＶとを選定できる。その結果、帯電ローラー３２の帯電能力の復帰時間を短縮できるため、感光体ドラム３１の表面電位が所定の帯電電位（例えば、適正な帯電電位）になるまでの時間を短縮できる。
【００３８】
帯電能力とは、帯電ローラー３２が感光体ドラム３１の表面電位を所定の帯電電位に帯電させる能力のことである。帯電ローラー３２の帯電能力が低いと、感光体ドラム３１の表面電位が所定の帯電電位になるまでの時間が長くなり、帯電ローラー３２の帯電能力が高いと、感光体ドラム３１の表面電位が所定の帯電電位になるまでの時間が短くなる。また、回転時間ＲＴ、つまり、ウォームアップ時間は、帯電ローラー３２の帯電能力の復帰時間に相当する。
【００３９】
例えば、長時間にわたり、低温低湿の環境下におかれた帯電ローラー３２では、画像形成装置１の電源投入時又はスリープモードから通常モードへの復帰時において、帯電能力が低下していることがある。しかしながら、本実施形態では、低温低湿の環境下でも、帯電ローラー３２の帯電能力の復帰時間を短縮できるため、感光体ドラム３１の表面電位が所定の帯電電位になるまでの時間を短縮できる。その結果、画像不良（例えば、かぶり）の発生を抑制できる。
【００４０】
なお、スリープモードとは、画像形成装置１の必要最小限の機能だけに電源電圧供給して、電力消費を最小限に抑えるモードのことである。通常モードとは、画像形成装置１の全機能に電源電圧を供給するモードのことである。
【００４１】
また、近年、省エネルギーを実現するため、画像形成処理（例えば、印刷処理）の終了後、定着温度を低下させる時間を短縮している。従って、低温低湿の環境下では、環境温度が比較的早く低下する傾向がある。そこで、電源投入時に限らず、スリープモードからの復帰時においても、帯電ローラー３２の帯電能力の復帰時間を短縮することは、画像不良（例えば、かぶり）の発生の抑制に効果的である。
【００４２】
また、本実施形態によれば、現像部３４は、ウォームアップ時に、感光体ドラム３１に向かってトナーを吐出する。従って、感光体ドラム３１を介して、クリーニングブレード３６ａのエッジにトナーを供給できる。その結果、回転時間ＲＴが長くなり、回転する感光体ドラム３１がクリーニングブレード３６ａによって長時間摺擦される場合においても、クリーニングブレード３６ａが感光体ドラム３１に与えるストレスの増加を抑制できるとともに、クリーニングブレード３６ａのエッジの欠損の発生を抑制できる。また、クリーニングブレード３６ａから感光体ドラム３１へのストレスの増加が抑制されるため、感光体ドラム３１の帯電性の低下を抑制できる。特に、低温低湿の環境下では、帯電ローラー３２の弾性部３２ｂが硬化しやすくなるため、現像部３４から感光体ドラム３１を介してクリーニングブレード３６ａにトナーを供給することは効果的である。
【００４３】
さらに、本実施形態によれば、現像部３４は、ウォームアップ時に、トナーを間欠的に吐出する。従って、トナーの消費を抑制しつつ、クリーニングブレード３６ａのエッジの欠損とクリーニングブレード３６ａから感光体ドラム３１へのストレスの増加とを抑制できる。
【００４４】
さらに、本実施形態によれば、制御部９０は、環境温度及び環境湿度が低くなるほど、長い回転時間ＲＴと大きな帯電電圧ＣＶとを選定する。従って、低温低湿の程度に応じて、適切な回転時間ＲＴと帯電電圧ＣＶとを選定できる。その結果、回転時間ＲＴ及び帯電電圧ＣＶの過不足を抑制できる。
【００４５】
さらに、本実施形態によれば、定着温度が閾値Ｔｈよりも高いときに選定される回転時間ＲＴは、定着温度が閾値Ｔｈ以下であるときに選定される回転時間ＲＴよりも短い。従って、定着温度が閾値Ｔｈよりも高いときは、帯電ローラー３２の帯電能力の復帰時間を更に短縮できる。定着温度が閾値Ｔｈよりも高いときは、画像形成処理の実行直後の可能性が高いため、帯電ローラー３２の帯電能力が比較的高いと推測できる。従って、短い回転時間ＲＴ、つまり、短いウォームアップ時間であっても、帯電ローラー３２の帯電能力を復帰させることができる。
【００４６】
さらに、本実施形態によれば、電圧印加部９２は、感光体ドラム３１が回転を開始してから所定時間ＰＴの間、比較的小さな第１電圧を帯電ローラー３２に印加し、所定時間ＰＴの経過後では、比較的大きな第２電圧を帯電ローラー３２に印加する。その結果、感光体ドラム３１にピンホールが発生することを抑制しつつ、帯電ローラー３２の帯電能力の復帰時間を短縮できる。
【００４７】
なお、所定時間ＰＴにおいて小さな第１電圧を帯電ローラー３２に印加する理由は、初期の過渡な帯電電流を起因とした感光体ドラム３１へのピンホールの発生を防止するためである。また、所定時間ＰＴの経過後では、過渡成分がなくなるため、大きな第２電圧を帯電ローラー３２に印加して、帯電ローラー３２の帯電能力の復帰時間を短縮している。
【００４８】
以下、本実施形態では、制御部９０による選定対象の回転時間ＲＴを、感光体ドラム３１の回転数で表す。従って、選定対象の回転時間ＲＴを表す回転数を「回転数ＲＴ」と記載する場合がある。本実施形態では、感光体ドラム３１が１回転する時間は一定である。つまり、感光体ドラム３１の回転速度は一定である。例えば、感光体ドラム３１は、１７０ｍｍ／秒の回転速度で回転する。本実施形態によれば、回転時間ＲＴを、感光体ドラム３１の回転数で表すことによって、感光体ドラム３１及び帯電ローラー３２のウォームアップのための制御が容易になるとともに、設計者が直感的に回転時間ＲＴを認識でき、設計作業を効率化できる。
【００４９】
図２〜図４を参照して、感光体ドラム３１及び帯電ローラー３２のウォームアップについて更に詳細に説明する。図３は、温湿度テーブル１００を示す図である。図４（ａ）は、第１制御テーブル１０１を示す図である。図４（ｂ）は、第２制御テーブル１０２を示す図である。
【００５０】
図２、図３、図４（ａ）、及び図４（ｂ）に示すように、制御部９０は、温湿度テーブル１００、第１制御テーブル１０１、及び第２制御テーブル１０２を参照して、感光体ドラム３１及び帯電ローラー３２のウォームアップを実行する。詳細は次の通りである。
【００５１】
すなわち、図２及び図３に示すように、記憶部９０ｂは、温湿度テーブル１００を記憶している。温湿度テーブル１００は、環境温度と環境湿度とから、温湿度レンジＡ、温湿度レンジＢ、温湿度レンジＣ、及び温湿度レンジＤを定めたテーブルである。温湿度レンジＡ〜温湿度レンジＤの各々は、環境温度と環境湿度とで規定されるレンジである。
【００５２】
相対的に、温湿度レンジＡは、最も低温低湿の環境であり、温湿度レンジＢは、温湿度レンジＡの次に低温低湿の環境であり、温湿度レンジＣは、温湿度レンジＢの次に低温低湿の環境であり、温湿度レンジＤは、温湿度レンジＣの次に低温低湿の環境である。
【００５３】
本実施形態では、表１に示すように、温湿度レンジＡ〜温湿度レンジＤの各々に対して割り当て可能な帯電電圧ＣＶ、つまり、制御部９０による選定対象となり得る帯電電圧ＣＶが用意されている。表１では、電圧の単位をボルト（Ｖ）で示している。
【００５４】
【表１】
0006304151.tif 000002
【００５５】
表１に示すように、制御部９０による選定対象としての帯電電圧ＣＶは、ベース電圧と第１補正電圧と第２補正電圧との和で表される。ベース電圧は、感光体ドラム３１の膜減りの程度に応じた電圧に設定される。また、低温低湿になるほど、大きな第１補正電圧が定められている。さらに、低温低湿になるほど、大きな第２補正電圧が定められている。
【００５６】
制御部９０は、低温低湿ではない環境（図３の温湿度レンジＤ）でのウォームアップ時では、ベース電圧（＞０Ｖ）と第１補正電圧（＝０Ｖ）と第２補正電圧（＝０Ｖ）とを選定する。つまり、制御部９０は、ベース電圧を帯電電圧ＣＶに設定する。さらに、制御部９０は、環境温度及び環境湿度が温湿度レンジＡ〜温湿度レンジＤのいずれにも属さない場合に、ベース電圧を帯電電圧ＣＶに設定する。本実施形態では、制御部９０は、環境温度が２５℃以上の場合に、ベース電圧を帯電電圧ＣＶに設定する。
【００５７】
制御部９０は、図３の温湿度レンジＣの低温低湿の環境下では、定着温度と環境温度と環境湿度とに基づいて、第１補正電圧（＞０Ｖ）と第２補正電圧（＝０Ｖ）とを選定する。そして、制御部９０は、ベース電圧に第１補正電圧を加算することによって算出された電圧（以下、「第１加算電圧」と記載する場合がある。）を帯電電圧ＣＶに設定する。以下、ベース電圧に第１補正電圧を加算することを「第１補正」と定義する。
【００５８】
制御部９０は、図３の温湿度レンジＡまたはＢの低温低湿の環境下では、定着温度と環境温度と環境湿度とに基づいて、第１補正電圧（＞０Ｖ）と第２補正電圧（＞０Ｖ）とを選定する。そして、制御部９０は、ベース電圧に第１補正電圧と第２補正電圧とを加算することによって算出された電圧（以下、「第２加算電圧」と記載する場合がある。）を帯電電圧ＣＶに設定する。以下、ベース電圧に第１補正電圧と第２補正電圧とを加算することを「第２補正」と定義する。
【００５９】
例えば、制御部９０に第１補正及び第２補正のうちのいずれを実行させるかは、実験的及び／又は経験的に予め定められる。
【００６０】
また、本実施形態では、表２に示すように、温湿度レンジＡ〜温湿度レンジＤの各々に対して割り当て可能な回転数ＲＴ、つまり、制御部９０による選定対象となり得る回転数ＲＴが用意されている。また、定着温度が閾値Ｔｈ以下のときに選定可能な回転数ＲＴと定着温度が閾値Ｔｈより高いときに選定可能な回転数ＲＴとが用意されている。表２では、回転数の単位を感光体ドラム３１の回転回数（回）で示している。閾値Ｔｈは、例えば、５０℃である。
【００６１】
【表２】
0006304151.tif 000003
【００６２】
表２に示すように、低温低湿になるほど、多い回転数ＲＴが定められている。また、温湿度レンジＡ〜温湿度レンジＤの各々において、定着温度が閾値Ｔｈ以下のときに選定可能な回転数ＲＴは、定着温度が閾値Ｔｈよりも高いときに選定可能な回転数ＲＴよりも多い。
【００６３】
本実施形態では、表１及び表２に基づいて、第１制御テーブル１０１と第２制御テーブル１０２とを作成している。
【００６４】
図４（ａ）及び図４（ｂ）に示すように、記憶部９０ｂは、第１制御テーブル１０１及び第２制御テーブル１０２を記憶している。電圧の単位をボルト（Ｖ）で示し、回転数の単位を感光体ドラム３１の回転回数（回）で示している。閾値Ｔｈは、例えば、５０℃である。
【００６５】
第１制御テーブル１０１は、定着温度が閾値Ｔｈ以下のときに制御部９０によって参照される。第１制御テーブル１０１は、温湿度レンジＡ〜温湿度レンジＤの各々に対して、感光体ドラム３１の回転数ＲＴと、帯電ローラー３２の帯電電圧ＣＶのうちの第１補正電圧及び第２補正電圧と、ウォームアップ時のトナー吐出の有無を示す情報とを割り当てたテーブルである。
【００６６】
第２制御テーブル１０２は、定着温度が閾値Ｔｈよりも高いときに制御部９０によって参照される。第２制御テーブル１０２は、温湿度レンジＡ〜温湿度レンジＤの各々に対して、感光体ドラム３１の回転数ＲＴと、帯電ローラー３２の帯電電圧ＣＶのうちの第１補正電圧及び第２補正電圧と、ウォームアップ時のトナー吐出の有無を示す情報とを割り当てたテーブルである。
【００６７】
第１制御テーブル１０１及び第２制御テーブル１０２の各々において、低温低湿になるほど、多い回転数ＲＴが割り当てられている。また、第１制御テーブル１０１及び第２制御テーブル１０２の各々において、低温低湿になるほど帯電電圧ＣＶが大きくなるように、第１補正電圧及び第２補正電圧が割り当てられている。さらに、第１制御テーブル１０１における最も低温低湿な環境である温湿度レンジＡにだけ、ウォームアップ時に感光体ドラム３１に向けてトナーを吐出することが定められている（トナー吐出あり）。
【００６８】
また、第１制御テーブル１０１と第２制御テーブル１０２とを比較すると、温湿度レンジＡ〜温湿度レンジＤの各々において、第１制御テーブル１０１の回転数ＲＴは第２制御テーブル１０２の回転数ＲＴよりも多い。さらに、第１制御テーブル１０１の帯電電圧ＣＶが、第２制御テーブル１０２の帯電電圧ＣＶと同一か、あるいは、第２制御テーブル１０２の帯電電圧ＣＶよりも大きくなるように、第１補正電圧及び第２補正電圧が割り当てられている。
【００６９】
なお、第１制御テーブル１０１及び第２制御テーブル１０２の各々において、第１補正電圧が０Ｖであることは、制御部９０が、第１補正電圧と第２補正電圧との双方を使用することなく、ベース電圧を帯電電圧ＣＶに設定することを意味する。また、第１補正電圧が０Ｖ以外であるとともに第２補正電圧が０Ｖであることは、制御部９０が、第２補正電圧を使用することなく、第１補正を実行することを意味する。さらに、第２補正電圧が０Ｖ以外であることは、制御部９０が第２補正を実行することを意味する。
【００７０】
図２〜図６を参照して、温湿度テーブル１００と第１制御テーブル１０１と第２制御テーブル１０２とを参照する制御部９０の処理について説明する。図５及び図６は、制御部９０が実行するウォームアップ制御を示すフローチャートである。
【００７１】
図２及び図５に示すように、ステップＳ１において、制御部９０は、定着温度が閾値Ｔｈ以下であるか否かを判定する。図５及び図６において、閾値Ｔｈは、例えば、５０℃である。
【００７２】
定着温度が閾値Ｔｈ以下であると判定した場合（ステップＳ１でＹｅｓ）、制御部９０は、処理をステップＳ３に進める。
【００７３】
図３及び図５に示すように、ステップＳ３において、制御部９０は、温湿度テーブル１００を参照して、温湿度レンジＡ〜温湿度レンジＤのうちから、環境温度及び環境湿度が属する温湿度レンジを決定する。
【００７４】
ステップＳ５において、制御部９０は、ステップＳ３で決定した温湿度レンジが温湿度レンジＤであるか否かを判定する。
【００７５】
温湿度レンジが温湿度レンジＤであると判定した場合（ステップＳ５でＹｅｓ）、制御部９０は、処理をステップＳ７に進める。
【００７６】
図４（ａ）及び図５に示すように、ステップＳ７において、制御部９０は、第１制御テーブル１０１を参照して、温湿度レンジＤに割り当てられた回転数ＲＴ（０回）と第１補正電圧（０Ｖ）と第２補正電圧（０Ｖ）とトナー吐出の有無を示す情報（なし）と、ベース電圧とに基づいて、駆動部９４及び電圧印加部９２を制御する。
【００７７】
すなわち、制御部９０は、感光体ドラム３１が回転しないように、駆動部９４を制御する。また、制御部９０は、一定時間だけ、ベース電圧に設定された帯電電圧ＣＶを帯電ローラー３２に印加するように、電圧印加部９２を制御する。さらに、制御部９０は、トナーを吐出しないように現像部３４を制御する。
【００７８】
一方、温湿度レンジが温湿度レンジＤでないと判定した場合（ステップＳ５でＮｏ）、制御部９０は、処理をステップＳ９に進める。
【００７９】
ステップＳ９において、制御部９０は、ステップＳ３で決定した温湿度レンジが温湿度レンジＣであるか否かを判定する。
【００８０】
温湿度レンジが温湿度レンジＣであると判定した場合（ステップＳ９でＹｅｓ）、制御部９０は、処理をステップＳ１１に進める。
【００８１】
ステップＳ１１において、制御部９０は、第１制御テーブル１０１を参照して、温湿度レンジＣに割り当てられた回転数ＲＴ（１１回）と第１補正電圧（１００Ｖ）と第２補正電圧（１００Ｖ）とトナー吐出の有無を示す情報（なし）と、ベース電圧とに基づいて、駆動部９４及び電圧印加部９２を制御する。
【００８２】
すなわち、制御部９０は、感光体ドラム３１が１１回転するように、駆動部９４を制御する。また、制御部９０は、第２補正を実行し、感光体ドラム３１が１１回転する間、帯電電圧ＣＶとしての第２加算電圧を帯電ローラー３２に印加するように、電圧印加部９２を制御する。ただし、感光体ドラム３１の最初の２回転の間は、制御部９０は、第１補正電圧（１００Ｖ）を使用して第１補正を実行し、帯電電圧ＣＶとしての第１加算電圧を帯電ローラー３２に印加するように、電圧印加部９２を制御する。さらに、制御部９０は、トナーを吐出しないように現像部３４を制御する。
【００８３】
一方、温湿度レンジが温湿度レンジＣでないと判定した場合（ステップＳ９でＮｏ）、制御部９０は、処理をステップＳ１３に進める。
【００８４】
ステップＳ１３において、制御部９０は、ステップＳ３で決定した温湿度レンジが温湿度レンジＢであるか否かを判定する。
【００８５】
温湿度レンジが温湿度レンジＢであると判定した場合（ステップＳ１３でＹｅｓ）、制御部９０は、処理をステップＳ１５に進める。
【００８６】
ステップＳ１５において、制御部９０は、第１制御テーブル１０１を参照して、温湿度レンジＢに割り当てられた回転数ＲＴ（２３回）と第１補正電圧（１５０Ｖ）と第２補正電圧（１３０Ｖ）とトナー吐出の有無を示す情報（なし）と、ベース電圧とに基づいて、駆動部９４及び電圧印加部９２を制御する。
【００８７】
すなわち、制御部９０は、感光体ドラム３１が２３回転するように、駆動部９４を制御する。また、制御部９０は、第２補正を実行し、感光体ドラム３１が２３回転する間、帯電電圧ＣＶとしての第２加算電圧を帯電ローラー３２に印加するように、電圧印加部９２を制御する。ただし、感光体ドラム３１の最初の２回転の間は、制御部９０は、第１補正電圧（１５０Ｖ）を使用して第１補正を実行し、帯電電圧ＣＶとしての第１加算電圧を帯電ローラー３２に印加するように、電圧印加部９２を制御する。さらに、制御部９０は、トナーを吐出しないように現像部３４を制御する。
【００８８】
一方、温湿度レンジが温湿度レンジＢでないと判定した場合（ステップＳ１３でＮｏ）、つまり、温湿度レンジが温湿度レンジＡであると判定した場合、制御部９０は、処理をステップＳ１７に進める。
【００８９】
ステップＳ１７において、制御部９０は、第１制御テーブル１０１を参照して、温湿度レンジＡに割り当てられた回転数ＲＴ（５２回）と第１補正電圧（２００Ｖ）と第２補正電圧（１５０Ｖ）とトナー吐出の有無を示す情報（あり）と、ベース電圧とに基づいて、駆動部９４及び電圧印加部９２を制御する。
【００９０】
すなわち、制御部９０は、感光体ドラム３１が５２回転するように、駆動部９４を制御する。また、制御部９０は、第２補正を実行し、感光体ドラム３１が５２回転する間、帯電電圧ＣＶとしての第２加算電圧を帯電ローラー３２に印加するように、電圧印加部９２を制御する。ただし、感光体ドラム３１の最初の２回転の間は、制御部９０は、第１補正電圧（２００Ｖ）を使用して第１補正を実行し、帯電電圧ＣＶとしての第１加算電圧を帯電ローラー３２に印加するように、電圧印加部９２を制御する。さらに、制御部９０は、感光体ドラム３１に向かってトナーを吐出するように現像部３４を制御する。
【００９１】
一方、定着温度が閾値Ｔｈ以下でないと判定した場合（ステップＳ１でＮｏ）、つまり、定着温度が閾値Ｔｈよりも高いと判定した場合、制御部９０は、処理を図６のステップＳ２１に進める。
【００９２】
図３及び図６に示すように、ステップＳ２１において、制御部９０は、温湿度テーブル１００を参照して、温湿度レンジＡ〜温湿度レンジＤのうちから、環境温度及び環境湿度が属する温湿度レンジを決定する。
【００９３】
ステップＳ２３において、制御部９０は、ステップＳ２１で決定した温湿度レンジが温湿度レンジＤであるか否かを判定する。
【００９４】
温湿度レンジが温湿度レンジＤであると判定した場合（ステップＳ２３でＹｅｓ）、制御部９０は、処理をステップＳ２５に進める。
【００９５】
図４（ｂ）及び図６に示すように、ステップＳ２５において、制御部９０は、第２制御テーブル１０２を参照して、温湿度レンジＤに割り当てられた回転数ＲＴ（０回）と第１補正電圧（０Ｖ）と第２補正電圧（０Ｖ）とトナー吐出の有無を示す情報（なし）と、ベース電圧とに基づいて、駆動部９４及び電圧印加部９２を制御する。すなわち、ステップＳ２５の処理は、ステップＳ７の処理と同様である。
【００９６】
一方、温湿度レンジが温湿度レンジＤでないと判定した場合（ステップＳ２３でＮｏ）、制御部９０は、処理をステップＳ２７に進める。
【００９７】
ステップＳ２７において、制御部９０は、ステップＳ２１で決定した温湿度レンジが温湿度レンジＣであるか否かを判定する。
【００９８】
温湿度レンジが温湿度レンジＣであると判定した場合（ステップＳ２７でＹｅｓ）、制御部９０は、処理をステップＳ２９に進める。
【００９９】
ステップＳ２９において、制御部９０は、第２制御テーブル１０２を参照して、温湿度レンジＣに割り当てられた回転数ＲＴ（２回）と第１補正電圧（１００Ｖ）と第２補正電圧（０Ｖ）とトナー吐出の有無を示す情報（なし）と、ベース電圧とに基づいて、駆動部９４及び電圧印加部９２を制御する。
【０１００】
すなわち、制御部９０は、感光体ドラム３１が２回転するように、駆動部９４を制御する。また、制御部９０は、第１補正を実行し、感光体ドラム３１が２回転する間、帯電電圧ＣＶとしての第１加算電圧を帯電ローラー３２に印加するように、電圧印加部９２を制御する。さらに、制御部９０は、トナーを吐出しないように現像部３４を制御する。
【０１０１】
一方、温湿度レンジが温湿度レンジＣでないと判定した場合（ステップＳ２７でＮｏ）、制御部９０は、処理をステップＳ３１に進める。
【０１０２】
ステップＳ３１において、制御部９０は、ステップＳ２１で決定した温湿度レンジが温湿度レンジＢであるか否かを判定する。
【０１０３】
温湿度レンジが温湿度レンジＢであると判定した場合（ステップＳ３１でＹｅｓ）、制御部９０は、処理をステップＳ３３に進める。
【０１０４】
ステップＳ３３において、制御部９０は、第２制御テーブル１０２を参照して、温湿度レンジＢに割り当てられた回転数ＲＴ（２回）と第１補正電圧（１５０Ｖ）と第２補正電圧（１３０Ｖ）とトナー吐出の有無を示す情報（なし）と、ベース電圧とに基づいて、駆動部９４及び電圧印加部９２を制御する。
【０１０５】
すなわち、制御部９０は、感光体ドラム３１が２回転するように、駆動部９４を制御する。また、制御部９０は、第２補正を実行し、感光体ドラム３１が２回転する間、帯電電圧ＣＶとしての第２加算電圧を帯電ローラー３２に印加するように、電圧印加部９２を制御する。さらに、制御部９０は、トナーを吐出しないように現像部３４を制御する。
【０１０６】
一方、温湿度レンジが温湿度レンジＢでないと判定した場合（ステップＳ３１でＮｏ）、つまり、温湿度レンジが温湿度レンジＡであると判定した場合、制御部９０は、処理をステップＳ３５に進める。
【０１０７】
ステップＳ３５において、制御部９０は、第２制御テーブル１０２を参照して、温湿度レンジＡに割り当てられた回転数ＲＴ（３回）と第１補正電圧（２００Ｖ）と第２補正電圧（１５０Ｖ）とトナー吐出の有無を示す情報（なし）と、ベース電圧とに基づいて、駆動部９４及び電圧印加部９２を制御する。
【０１０８】
すなわち、制御部９０は、感光体ドラム３１が３回転するように、駆動部９４を制御する。また、制御部９０は、第２補正を実行し、感光体ドラム３１が３回転する間、帯電電圧ＣＶとしての第２加算電圧を帯電ローラー３２に印加するように、電圧印加部９２を制御する。さらに、制御部９０は、トナーを吐出しないように現像部３４を制御する。
【０１０９】
以上、図５及び図６を参照して説明したように、本実施形態によれば、低温低湿の環境下における帯電ローラー３２の帯電能力の低下の程度を、環境温度と環境湿度と定着温度から推察し、好適な回転数ＲＴと帯電電圧ＣＶとを決定している。従って、低温低湿の環境下においても、帯電ローラー３２の帯電能力の復帰時間を短縮できる。その結果、感光体ドラム３１の表面電位を短時間で均一な帯電電位にすることが可能であり、画像不良を抑制できる。つまり、早期に安定した画像形成が可能である。また、ウォームアップ時間、つまり、回転数ＲＴは、帯電電圧ＣＶを高くすることで短縮できる。一方、ウォームアップ時間が長くなっても、トナーを吐出することによって、クリーニングブレード３６ａのエッジの欠損とクリーニングブレード３６ａから感光体ドラム３１へのストレスの増加とを抑制できる。
【０１１０】
次に、本発明が実施例に基づき具体的に説明されるが、本発明は以下の実施例によって限定されない。
【実施例】
【０１１１】
本発明の実施例及び参考例では、画像形成装置１として、京セラミタ製のＦＳ−５２５０ＤＮ（Ａ４カラー）の改造機を使用した。そして、感光体ドラム３１及び帯電ローラー３２のウォームアップを実行し、Ａ４サイズの用紙にハーフトーン画像を印刷した。そして、印刷１枚目のハーフトーン画像を評価した。
【０１１２】
ハーフトーン画像に、かぶりが発生せず、さらに、ハーフトーン画像の濃度が適正であった場合を「優」と評価した。「優」は、帯電ローラー３２の帯電能力が良好に復帰していることを示す。
【０１１３】
ハーフトーン画像に、かぶりが発生しなかったが、ハーフトーン画像の濃度変化及び／又はクリーニングブレード３６ａのエッジの欠損が起こった場合を「可」と評価した。「可」は、帯電ローラー３２の帯電能力が復帰していることを示す。
【０１１４】
ハーフトーン画像に、かぶりが発生した場合を「不可」と評価した。「不可」は、帯電ローラー３２の帯電能力が十分に復帰していないことを示す。
【０１１５】
表３は、定着温度が閾値Ｔｈ以下であったときのハーフトーン画像の評価を示している。
【０１１６】
表４は、定着温度が閾値Ｔｈより高かったときのハーフトーン画像の評価を示している。
【０１１７】
表３及び表４では、「優」を「○」で示し、「可」を「△」で示し、「不可」を「×」で示している。
【０１１８】
【表３】
0006304151.tif 000004
【０１１９】
【表４】
0006304151.tif 000005
【０１２０】
表３及び表４において、「回転数」は、ウォームアップ時の感光体ドラム３１の回転数を示す。「第１補正」は、ウォームアップ時に、第１加算電圧を帯電電圧ＣＶとして帯電ローラー３２に印加したことを示す。「第２補正」は、ウォームアップ時に、第２加算電圧を帯電電圧ＣＶとして帯電ローラー３２に印加したことを示す。
【０１２１】
「第１補正＋トナー吐出」は、ウォームアップ時に、第１補正による第１加算電圧を帯電電圧ＣＶとして帯電ローラー３２に印加するとともに、トナーを感光体ドラム３１に向けて吐出したことを示す。トナーの吐出は、間欠的に実行された。具体的には、トナーの吐出は、感光体ドラム３１の所定回転数ごとに実行された。この場合、感光体ドラム３１の周方向に１ｍｍの線幅となるようなトナー量で、感光体ドラム３１の軸方向に沿って線状にトナーが吐出された。「第２補正＋トナー吐出」は、ウォームアップ時に、第２補正による第２加算電圧を帯電電圧ＣＶとして帯電ローラー３２に印加するとともに、トナーを感光体ドラム３１に向けて吐出したことを示す。トナーの吐出については、「第１補正＋トナー吐出」におけるトナーの吐出と同じである。
【０１２２】
また、環境温度及び環境湿度は、図３の温湿度テーブル１００の温湿度レンジＡ〜温湿度レンジＤのいずれかに分類した。第１補正における第１補正電圧は、環境温度及び環境湿度の属する温湿度レンジ（Ａ〜Ｄ）に応じて、表１を参照して決定した。第２補正における第１補正電圧及び第２補正電圧は、環境温度及び環境湿度の属する温湿度レンジ（Ａ〜Ｄ）に応じて、表１を参照して決定した。ただし、第２加算電圧を帯電電圧ＣＶとして帯電ローラー３２に印加することを決定した場合は、感光体ドラム３１の最初の２回転の間は、第１加算電圧を帯電電圧ＣＶとして帯電ローラー３２に印加した。
【０１２３】
本発明の実施例は、表３において、「○」及び「△」に対応する回転数ＲＴと第１補正とに基づくウォームアップ、「○」及び「△」に対応する回転数ＲＴと第２補正とに基づくウォームアップ、「○」及び「△」に対応する回転数ＲＴと第１補正とトナー吐出に基づくウォームアップ、並びに「○」及び「△」に対応する回転数ＲＴと第２補正とトナー吐出に基づくウォームアップである。本発明の実施例では、ハーフトーン画像にかぶりが発生することなく、帯電ローラー３２の帯電能力を短時間で復帰させることができた。なお、参考例は、「×」に対応する回転数ＲＴ、第１補正、第２補正、第１補正及びトナー吐出、並びに第２補正及びトナー吐出である。
【０１２４】
本発明の実施例は、表４において、「○」及び「△」に対応する回転数ＲＴと第１補正とに基づくウォームアップ、並びに「○」及び「△」に対応する回転数ＲＴと第２補正とに基づくウォームアップである。本発明の実施例では、ハーフトーン画像にかぶりが発生することなく、表３に示した実施例よりも、帯電ローラー３２の帯電能力を更に短時間で復帰させることができた。なお、参考例は、「×」に対応する回転数ＲＴ、第１補正、及び第２補正である。
【０１２５】
なお、表３の温湿度レンジＡで感光体ドラム３１の回転数が６５回の場合又は温湿度レンジＢで感光体ドラム３１の回転数が４９回の場合、トナー吐出を行わずに第１補正又は第２補正を行うと、トナーを供給することなく比較的高い帯電電圧ＣＶを感光体ドラム３１に長時間印加することになる。その結果、感光体ドラム３１の帯電性が低下し、ハーフトーン画像の濃度が濃くなってしまう。
【０１２６】
以上、図面を参照しながら本発明の実施形態について説明した。但し、本発明は、上記の実施形態に限られるものではなく、その要旨を逸脱しない範囲で種々の態様において実施することが可能である（例えば、下記（１）、（２））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【０１２７】
（１）図４（ａ）、図４（ｂ）、図５、及び図６を参照して説明したように、本実施形態及び本実施例では、第１補正又は第２補正を実行した。ただし、第１制御テーブル１０１及び第２制御テーブル１０２の各々において、第１補正電圧と第２補正電圧とをそれぞれ定めることなしに、第１補正又は第２補正を実行した後の帯電電圧ＣＶを定めることもできる。この場合は、第１補正及び第２補正のための処理が不要になり、処理を高速化できる。
【０１２８】
（２）本実施形態では、画像形成装置１は複合機であったが、複写機、プリンター、又はファクシミリであってもよい。また、画像形成装置１は、モノクロ対応であってもよいし、カラー対応であってもよい。
【産業上の利用可能性】
【０１２９】
本発明は、画像形成装置に関するものであり、産業上の利用可能性を有する。
【符号の説明】
【０１３０】
１    画像形成装置
３１    感光体ドラム（像担持体）
３２    帯電ローラー（帯電部）
３４    現像部
３６ａ    クリーニングブレード
４０    定着部
５０    環境検出部
５５    定着温度検出部
９０    制御部
９２    電圧印加部
９４    駆動部
【図１】
0006304151.tif 000006
【図２】
0006304151.tif 000007
【図３】
0006304151.tif 000008
【図４】
0006304151.tif 000009
【図５】
0006304151.tif 000010
【図６】
0006304151.tif 000011